(57)【要約】【課題】本発明は、接続に便利であるネットワーク接続システム及びその方法を提供する。【解決手段】本発明に係るネットワーク接続システムは、ネットワークカメラとネットワーク記憶装置との間に適用され、第一制御モジュール、第二制御モジュール及び接続モジュールを備える。第一制御モジュールは、ネットワーク記憶装置の第一命令に応答して、接続要請情報を送信するようにネットワーク記憶装置を制御し、第二制御モジュールは、ネットワークカメラの第二命令に応答して、接続要請情報を受信するようにネットワークカメラを制御し、第二制御モジュールは、さらに、受信した接続要請情報に基づいて応答情報を送信するようにネットワークカメラを制御し、第一制御モジュールは、さらに、応答情報を受信するようにネットワーク記憶装置を制御し、接続モジュールは、受信した応答情報に基づいてネットワークカメラをネットワーク記憶装置に接続する。【選択図】図３
2014143684.tif 000002
【特許請求の範囲】
【請求項１】
映像データを撮影するための少なくとも１つのネットワークカメラとネットワークカメラによって撮影された映像データを格納して管理するための少なくとも１つのネットワーク記憶装置との間に適用されているネットワーク接続システムであって、
第一制御モジュール、第二制御モジュール及び接続モジュールを備え、
第一制御モジュールは、ネットワーク記憶装置の第一命令に応答して、接続要請情報を送信するようにネットワーク記憶装置を制御し、
第二制御モジュールは、ネットワークカメラの第二命令に応答して、接続要請情報を受信するようにネットワークカメラを制御し、
第二制御モジュールは、さらに、受信した接続要請情報に基づいて応答情報を送信するようにネットワークカメラを制御し、
第一制御モジュールは、さらに、応答情報を受信するようにネットワーク記憶装置を制御し、
接続モジュールは、受信した応答情報に基づいてネットワークカメラをネットワーク記憶装置に接続することを特徴とするネットワーク接続システム。
【請求項２】
ネットワーク接続システムは、さらに、第一検出モジュール及び第二検出モジュールを備え、第一検出モジュールは、ネットワークカメラの第二命令に応答して、第一所定時間内において接続要請情報が存在するか否かを検出し、第一所定時間内において接続要請情報が存在することを検出した場合、第二制御モジュールは、接続要請情報を受信するようにネットワークカメラを制御し、
ネットワーク記憶装置が接続要請情報を送信した後、第二検出モジュールは、第二所定時間内において少なくとも１つの応答情報が存在するか否かを検出し、第二所定時間内において少なくとも１つの応答情報が存在することを検出した場合、第一制御モジュールは、応答情報を受信するようにネットワーク記憶装置を制御することを特徴とする請求項１に記載のネットワーク接続システム。
【請求項３】
第二所定時間後に少なくとも１つの応答情報が検出された時、第一制御モジュールは、応答情報の受信を停止するようにネットワーク記憶装置を制御し、現在時間が第二所定時間を超えた時、第一制御モジュールは、接続要請情報の送信を停止するようにネットワーク記憶装置を制御することを特徴とする請求項２に記載のネットワーク接続システム。
【請求項４】
映像データを撮影するための少なくとも１つのネットワークカメラとネットワークカメラによって撮影された映像データを格納して管理するための少なくとも１つのネットワーク記憶装置との間に適用されているネットワーク接続方法において、
ネットワーク記憶装置の第一命令に応答して、接続要請情報を送信するようにネットワーク記憶装置を制御するステップと、
ネットワークカメラの第二命令に応答して、接続要請情報を受信するようにネットワークカメラを制御するステップと、
受信した接続要請情報に基づいて応答情報を送信するようにネットワークカメラを制御するステップと、
応答情報を受信するようにネットワーク記憶装置を制御するステップと、
受信した応答情報に基づいてネットワークカメラをネットワーク記憶装置に接続するステップと、
を備えることを特徴とするネットワーク接続方法。
【発明の詳細な説明】
【技術分野】
【０００１】
本発明は、ネットワーク接続システム及びその方法に関するものである。
【背景技術】
【０００２】
従来の技術において、ネットワークカメラは、一般的に、手動によってネットワーク記憶装置に接続する必要がある。しかし、手動操作は時間がかかる。
【発明の概要】
【発明が解決しようとする課題】
【０００３】
前記課題を解決するために、本発明は、接続に便利であるネットワーク接続システム及びその方法を提供する。
【課題を解決するための手段】
【０００４】
本発明に係るネットワーク接続システムは、映像データを撮影するための少なくとも１つのネットワークカメラとネットワークカメラによって撮影された映像データを格納して管理するための少なくとも１つのネットワーク記憶装置との間に適用され、第一制御モジュール、第二制御モジュール及び接続モジュールを備える。第一制御モジュールは、ネットワーク記憶装置の第一命令に応答して、接続要請情報を送信するようにネットワーク記憶装置を制御し、第二制御モジュールは、ネットワークカメラの第二命令に応答して、接続要請情報を受信するようにネットワークカメラを制御し、第二制御モジュールは、さらに、受信した接続要請情報に基づいて応答情報を送信するようにネットワークカメラを制御し、第一制御モジュールは、さらに、応答情報を受信するようにネットワーク記憶装置を制御し、接続モジュールは、受信した応答情報に基づいてネットワークカメラをネットワーク記憶装置に接続する。
【０００５】
本発明に係るネットワーク接続方法は、映像データを撮影するための少なくとも１つのネットワークカメラとネットワークカメラによって撮影された映像データを格納して管理するための少なくとも１つのネットワーク記憶装置との間に適用され、ネットワーク記憶装置の第一命令に応答して、接続要請情報を送信するようにネットワーク記憶装置を制御するステップと、ネットワークカメラの第二命令に応答して、接続要請情報を受信するようにネットワークカメラを制御するステップと、受信した接続要請情報に基づいて応答情報を送信するようにネットワークカメラを制御するステップと、応答情報を受信するようにネットワーク記憶装置を制御するステップと、受信した応答情報に基づいてネットワークカメラをネットワーク記憶装置に接続するステップと、を備える。
【発明の効果】
【０００６】
従来の技術と比べて、本発明のネットワーク接続システム及びその方法において、ネットワーク記憶装置は、接続要請情報を自動で送信し、ネットワークカメラは応答情報を自動で返信する。これにより、ネットワークカメラをネットワーク記憶装置に自動で接続することができるため、接続に便利である。
【図面の簡単な説明】
【０００７】
【図１】本発明の実施形態に係るネットワーク接続システムの適用環境を示す図である。
【図２】図１に示したネットワーク接続システムのブロック図である。
【図３】本発明の実施形態に係るネットワーク接続方法のフローチャートである。
【発明を実施するための形態】
【０００８】
以下、図面を参照して、本発明の実施形態について説明する。
【０００９】
図１を参照すると、本発明の実施形態に係るネットワーク接続システム１は、少なくとも１つのネットワークカメラ２と少なくとも１つのネットワーク記憶装置３との間に適用されている。ネットワークカメラ２は、映像データを撮影するために用いられる。ネットワーク記憶装置３は、ネットワークカメラ２によって撮影された映像データを格納して管理するために用いられる。
【００１０】
図２を参照すると、ネットワーク接続システム１は、第一制御モジュール１１、第一検出モジュール１２、第二制御モジュール１３、第二検出モジュール１４及び接続モジュール１５を備える。
【００１１】
第一制御モジュール１１は、ネットワーク記憶装置３の第一命令に応答して接続要請情報を送信するようにネットワーク記憶装置３を制御する。第一検出モジュール１２は、ネットワークカメラ２の第二命令に応答して、第一所定時間内において接続要請情報が存在するか否かを検出する。第一所定時間内において接続要請情報が存在することを検出した場合、第二制御モジュール１３は、接続要請情報を受信するようにネットワークカメラ２を制御する。第二制御モジュール１３は、さらに、受信した接続要請情報に基づいて応答情報を送信するようにネットワークカメラ２を制御する。ネットワーク記憶装置３が接続要請情報を送信すると、第二検出モジュール１４は、第二所定時間内において少なくとも１つの応答情報が存在するか否かを検出する。第二所定時間内において少なくとも１つの応答情報が存在することを検出した場合、第一制御モジュール１１は、さらに、応答情報を受信するようにネットワーク記憶装置３を制御する。接続モジュール１５は、受信した応答情報に基づいてネットワークカメラ２をネットワーク記憶装置３に接続させる。本実施形態において、第一制御モジュール１１、第二検出モジュール１４及び接続モジュール１５は、ネットワーク記憶装置３内に実行され、第二制御モジュール１３及び第一検出モジュール１２は、ネットワークカメラ２内に実行される。
【００１２】
本実施形態において、第一制御モジュール１１は、さらに、第二所定時間後に少なくとも１つの応答情報が検出された時、応答情報の受信を停止するようにネットワーク記憶装置３を制御する。第一制御モジュール１１は、さらに、現在の時間が第二所定時間を超えた時、接続要請情報の送信を停止するようにネットワーク記憶装置３を制御する。
【００１３】
ネットワーク接続システム１は、さらに、記憶モジュール１６を備える。記憶モジュール１６は、ネットワーク記憶装置３に接続されたネットワークカメラ２のＩＰアドレス等の設定パラメータを格納する。これにより、次回の接続時に、ネットワーク記憶装置３は、格納された設定パラメータに基づいて、ネットワークカメラ２と直接に接続することができる。本実施形態において、記憶モジュール１６は、ネットワーク記憶装置３内に実行される。
【００１４】
本実施形態において、ネットワーク記憶装置３には、第一キー３１が設けられている。第一命令は、第一キー３１をトリガすることによって生成される。ネットワークカメラ２には、第二キー２１が設けられている。第二命令は、ネットワークカメラ２の電源がオンされた時、又は第二キー２１がトリガされた時に生成される。
【００１５】
図３を参照すると、本発明の実施形態に係るネットワーク接続方法は、以下のステップＳ６０１〜ステップＳ６０５を備える。
【００１６】
ステップＳ６０１において、第一制御モジュール１１は、ネットワーク記憶装置３の第一命令に応答して、接続要請情報を送信するようにネットワーク記憶装置３を制御する。
【００１７】
ステップＳ６０２において、第二制御モジュール１３は、ネットワークカメラ２の第二命令に応答して接続要請情報を受信するようにネットワークカメラ２を制御する。
【００１８】
ステップＳ６０３において、第二制御モジュール１３は、受信した接続要請情報に基づいて、応答情報を送信するようにネットワークカメラ２を制御する。
【００１９】
ステップＳ６０４において、第一制御モジュール１１は、応答情報を受信するようにネットワーク記憶装置３を制御する。
【００２０】
ステップＳ６０５において、接続モジュール１５は、受信した応答情報に基づいてネットワークカメラ２をネットワーク記憶装置３に接続させる。
【００２１】
さらに、ステップＳ６０２の前に、ネットワーク接続方法は以下のステップを備える。第一検出モジュール１２は、ネットワークカメラ２の第二命令に応答して第一所定時間内において接続要請情報が存在するか否かを検出し、第一所定時間内において接続要請情報が存在することを検出した場合、第二制御モジュール１３は、接続要請情報を受信するようにネットワークカメラ２を制御する。
【００２２】
さらに、ステップＳ６０４の前に、ネットワーク接続方法は以下のステップを備える。ネットワーク記憶装置３が接続要請情報を送信した後、第二検出モジュール１４は、第二所定時間内において少なくとも１つの応答情報が存在するか否かを検出し、第二所定時間内において少なくとも１つの応答情報が存在することを検出した場合、第一制御モジュールは、応答情報を受信するようにネットワーク記憶装置３を制御する。
【００２３】
さらに、ネットワーク接続方法は以下のステップを備える。第二所定時間後に少なくとも１つの応答情報が検出された時、第一制御モジュール１１は、応答情報の受信を停止するようにネットワーク記憶装置３を制御し、現在時間が第二所定時間を超えた時、第一制御モジュール１１は、接続要請情報の送信を停止するようにネットワーク記憶装置３を制御する。
【００２４】
さらに、ネットワーク接続方法は以下のステップを備える。記憶モジュール１６は、ネットワーク記憶装置３に接続されたネットワークカメラ２のＩＰアドレス等の設定パラメータを格納する。
【符号の説明】
【００２５】
１  ネットワーク接続システム
２  ネットワークカメラ
３  ネットワーク記憶装置
２１  第二キー
３１  第一キー
１１  第一制御モジュール
１２  第一検出モジュール
１３  第二制御モジュール
１４  第二検出モジュール
１５  接続モジュール
１６  記憶モジュール
【図１】
2014143684.tif 000003
【図２】
2014143684.tif 000004
【図３】
2014143684.tif 000005